(57)【要約】      （修正有）【課題】耐久性と保温性能が優れた保温容器を提供する。【解決手段】収納箱本体１０の壁面に最外層をアルミニウムとするアルミニウムと断熱材とを積層した保温層を含み、皿１４は搬送品を載置する面の辺縁部分に放射状に設けられた溝を有する。収納箱本体１０の内部に、収納箱本体１０と着脱可能に設けられた棚板１２を設ける。断熱材は、発泡ポリスチレン、発泡塩化ビニルから１種類以上選ぶことができる。皿１４に設けられた溝が、皿１４の物品を乗せる部分の外周に内接する円の中心に重心を有する少なくとも一つの正多角形の頂点に配置するように構成することができる。【選択図】図１
0003131896.tif 000002
【実用新案登録請求の範囲】
【請求項１】
側面に収納する物品を出し入れする開口部と、前記開口部に設置される蓋部材と、内部に物品を収納する空間と、を有し、壁面が最外層をアルミニウムとするアルミニウムと断熱材とを積層した保温層を含む、収納箱本体と；
前記収納箱本体の内部に、前記収納箱本体と着脱可能に設けられた棚板と；
搬送品を載置する面の辺縁部分に放射状に設けられた溝を有する皿と；を備える保温出前箱。
【請求項２】
前記断熱材が、発泡ポリスチレン、発泡塩化ビニルから１種類以上選ばれることを特徴とする、請求項１記載の保温出前箱。
【請求項３】
前記収納箱本体が、側面に面ファスナーの第１の面を有する係止具を有し、前記収納箱本体を複数積み重ねた時、面ファスナーの第２の面を有し、面ファスナーの第２の面と前記係止具の面ファスナーの第１の面とを張り合わせることにより前記複数の収納箱本体を係止する保持具を備えることを特徴とする、請求項１又は請求項２に記載の保温出前箱。
【請求項４】
前記皿に設けられた前記溝が、前記皿の物品を乗せる部分の外周に内接する円の中心に重心を有する少なくとも一つの正多角形の頂点に配置されていることを特徴とする、請求項１乃至３のいずれか１項に記載の保温出前箱。
【請求項５】
前記正多角形が、正五角形、正六角形、正八角形から一つ以上選ばれることを特徴とする、請求項１乃至４のいずれか１項に記載の保温出前箱。
【考案の詳細な説明】
【技術分野】
【０００１】
本考案は、物品を保温して運搬するための保温箱に関する。
【背景技術】
【０００２】
物品を保温して運搬する必要性は、特に商業活動、日常生活において頻繁に発生する。特に、近年では食品の宅配サービスの需要が拡大し、調理された食品をさめないように顧客に配達できる保温容器の開発が求められてきた。
【０００３】
この点に関し、特許文献１には、アルミナセラミック層と、その外側に反射用金属板と、さらにその外側に保温材を積層させた外壁によって形成された箱状の保温容器が開示されている。
【０００４】
しかし、この技術では、保温容器の最外層が保温材によって形成されているため、押圧に弱く、傷も付きやすい。このため、長期間の使用には耐えられないという問題点があった。また、コンテナ内部に複数の物品を収納する場合、積載に耐える材質により物品を個別に梱包する必要があり、梱包資材と梱包工数がかかることによりコストがかかるという問題点があった。さらに、従来の皿は盛られたピザやお好み焼きやパイなどの円形の食材を切るときに目分量により切る大きさを決めていたため、切った大きさにばらつきがあるという問題点があった。
【特許文献１】実開昭６３−１６６９７７号公報
【考案の開示】
【考案が解決しようとする課題】
【０００５】
本発明は上記のような問題点に鑑みてなされたものであり、耐久性と保温性能が優れた保温容器を提供することを目的とする。また、円形の食材を等分できる皿を提供することを目的とする。
【課題を解決するための手段】
【０００６】
この目的を達成するために、請求項１の保温出前箱は、側面に収納する物品を出し入れする開口部と、この開口部に設置される蓋部材と、内部に物品を収納する空間と、を有し、壁面がアルミニウムと断熱材とを積層した保温層を含む、収納箱本体と；収納箱本体の内部に、収納箱本体と着脱可能に設けられた棚板と；搬送品を載置する面の辺縁部分に放射状に設けられた溝を有する陶磁器製の皿と；を備えることを特徴とする。
【考案の効果】
【０００７】
本発明の保温出前箱によれば、収納箱本体の壁面がアルミニウムと断熱材とを積層した保温層を含むため、耐久性と保温性能が優れているという効果がある。また、皿に溝を設けたため、この溝を目印にすることができ、この皿に載せた円形の食材を等分することができるという効果がある。
【考案を実施するための最良の形態】
【０００８】
本発明の保温出前箱の一実施形態を、図面を用いて説明する。図１は本実施形態の保温出前箱の蓋部材を開けた様子を示した斜視図である。本実施形態の保温出前箱は、物品を収納する収納箱本体１０と、収納箱本体１０の内部に、収納箱本体１０と着脱可能に設けられた棚板１２と、搬送品を載せる皿１４とを備える。
【０００９】
収納箱本体１０は、側面に収納する物品を出し入れする開口部１５と、開口部１５に設置され、開口部１５を塞ぐ蓋部材１１と、を備え、壁面がアルミニウムと断熱材とを積層した保温層を含む。収納箱本体１０は、内部に物品を収納するための空間を有する。
【００１０】
蓋部材１１を収納箱本体１０に取り付けたとき、収納箱本体１０と蓋部材１１とは係止具１３によって係止される。この係止具１３は、例えば面ファスナーを用いることができる。ここで、面ファスナーは、例えば、係止する第１の面に微少なカギ状フックを、第２の面に微小なループと、を備え、微小なかぎ状フックが微小なフックに引っかかることにより係止するファスナーが挙げられる。製品としては、クラレファスニング株式会社製マジックテープ（登録商標）が挙げられるが、これに限られるものではない。係止具１３に他の係止機構を用いても良い。
【００１１】
棚板１２は、図１に示したように、中段と下段に設けることができる。棚板１２が取っ手を有するように構成すれば、皿１４が熱くても容易に引き出すことができる。
【００１２】
係止具１３は、面ファスナーを用いる場合は、収納箱本体１０の開口部１５付近に、第１の面を設け、蓋部材１１に第２の面を設ける。蓋部材１１を収納箱本体１０に取り付けたときに第１の面と第２の面を合わせて押圧することにより係止する。
【００１３】
係止具１３は、さらに収納箱本体１０に第１の面を有し、図１５に示すように収納箱本体１０を複数積み重ねた時に、第２の面を有する保持具１３ｂにより係止するように構成してもよい。この場合、第２の面を有する保持具１３ｂは、積み重ねられた二つの収納箱本体１０にそれぞれ設けられた第１の面を有する二つの係止具１３の両方を覆うだけの広さをもったものを用いる。積み重ねた複数の収納箱本体１０の係止具１３の第１の面と、保持具１３ｂの面ファスナーの第２の面を有するに張り合わせることにより、係止する。
【００１４】
収納箱本体１０が開口部の蓋部材１１に接する断面に鉄板１７を有し、蓋部材１１が鉄板１７に接する部分にマグネットシート１８を有し、蓋部材１１を収納箱本体１０に取り付けた時、これらの両者が磁性によって互いに引き付けられるように構成していてもよい。
【００１５】
図２は、棚板１２の斜視図である。棚板１２は例えばアルミニウム板や、アルミニウム板とその他の素材を張り合わせたアルミニウム複合板によって形成することができる。また、棚板１２は小さい穴２０を多数設けることにより、その重量を軽くすることができる。棚板１２は収納箱本体１０に、着脱可能に取り付けられる。棚板１２は、端部に引き出し取っ手２１を有していてもよい。
【００１６】
図３は、棚板１２を取り外した収納箱本体１０の斜視図である。棚板１２は、例えば、収納箱本体１０の内部に設けられた桟３１に載せて使用される。
【００１７】
図４は、収納箱本体１０に蓋部材１１を取り付け、係止具１３によって蓋部材１１を収納箱本体１０に係止した状態を表す斜視図である。
【００１８】
図５は、収納箱本体１０に蓋部材１１を取り付け、係止具１３によって蓋部材１１を収納箱本体１０に係止した状態を蓋部材１１の方向から見た図である。
【００１９】
収納箱本体１０は、図１，３，４，５に示すごとく、上方及び下方の底面にＬ字フック１６、１６ａを設けてもよい。下方の底面のＬ字フック１６ａは上方の底面のＬ字フック１６よりも内側に設けられ、収納箱本体１０を複数個上下に積み上げた時に、一方の収納箱本体１０のＬ字フック１６と、他方の収納箱本体１０のＬ字フック１６ａが嵌合し、横方向のずれを防止するように構成する。
【００２０】
図６は、収納箱本体１０から蓋部材１１を取り外し、開口部１５の方向から見た図である。桟３１は、複数段設けても良い。
【００２１】
図７は、収納箱本体１０に蓋部材１１を取り付け、係止具１３によって蓋部材１１を収納箱本体１０に係止した状態を蓋部材１１の右方向から見た図である。
【００２２】
図８は、収納箱本体１０から蓋部材１１を取り外し、開口部１５の右方向から見た図である。
【００２３】
図９は、収納箱本体１０に蓋部材１１を取り付け、係止具１３によって蓋部材１１を収納箱本体１０に係止した状態を収納箱本体１０の上方向から見た図である。
【００２４】
図１０は、蓋部材１１の上面図及び側面図である。図１０（ａ）は、蓋部材１１を上方向から見た図である。蓋部材１１には、収納箱本体１０の開口部１５にはめ込むための突起部１０１を設けても良い。突起の形状に制限はない。例えば図１０，１１に示すように収納箱本体１０の開口部に周回して接するような形状に構成してもよい。図１０（ｂ）は蓋部材１１を横方向から見た図である。
【００２５】
図１１は、蓋部材１１を開口部１５に取り付ける方向から見た図である。
【００２６】
図１２は、皿１４を上方から見た図である。皿１４は、収納部本体１０、蓋部材１１、棚板１２とは別体のものとして形成することが望ましい。皿１４は例えば陶磁器により形成することができる。皿１４には、皿１４の上に載せた搬送品、例えばピザ、お好み焼き、パイなどの略円形を成す食材を等分するときに目安となる溝１２０を設けることができる。
【００２７】
溝１２０は、図１２に示すように、皿１４の物品を乗せる部分の外周に内接する円の中心に重心を有する少なくとも一つの正多角形の頂点に配置されている。ここで、正多角形としては、一点破線に示すような正五角形、点線に示すような正六角形、２点破線に示すような正八角形などが挙げられるが、これらに限られるものではない。
【００２８】
皿１４の搬送品を乗せる部分の外周に内接する円とは、皿１４の搬送品を乗せる部分が円である場合にはその円を表し、円以外の形状の場合は、その形状の辺又は曲線に内接する円を意味する。
【００２９】
図１３は、皿１４を横から見た図である。また、図１４は、皿１４の図１２に示したＡＡ線における断面図である。溝１２０はピザカッターの歯が入るくらいの幅を有することが望ましい。
【００３０】
図１５は、収納箱本体１０を積み重ね、これらを保持具１３ｂによって係止した様子を示した図である。収納箱本体１０は、３段以上に積み上げても良い。積み上げた場合、開口部１５は側面に位置するので、収納箱本体１０に収納された物品を容易に取り出すことができる。
【００３１】
図１６は、選択されうる付加的構成要素の例を示した図である。図１６（ａ）は、スポンジアングル１７１の斜視図である。スポンジアングル１７１は、例えばポリウレタンのような弾力性のある素材によって形成され、断面がＬ字状のレール状の部材である。図１６（ｂ）は、バンポン１７２の斜視図である。バンポン１７２は、例えばポリウレタンのような弾力性のある素材によって形成され、断面が円状であり、底面を有する円柱状の部材である。
【００３２】
図１７は、選択されうる付加的構成要素を取り付けた例を示した図である。図１７（ａ）は収納箱本体１０を開口部側から見た図であり、図１７（ｂ）は収納箱本体１０を、蓋部材１１を外した状態にて、上方から見た図であり、図１７（ｃ）は収納箱本体１０を、蓋部材１１を外した状態にて、側面から見た図であり、図１８は収納箱本体１０を、蓋部材１１を外した状態にて、開口部付近を後方から見た斜視図である。このように、スポンジアングル１７１は、収納箱本体１０の辺に取り付けられ、障害物に当たった時に衝撃を吸収する。バンポン１７２は、収納箱本体１０の上方の底面に複数個取り付けられ、収納箱本体１０を複数積み重ねた時に横方向のずれを防止するとともに、上下方向の衝撃を吸収する。
【００３３】
図１９は、収納箱本体１０を、上蓋を開放する形状に構成した例である。上蓋式収納箱本体２００３は、物品を収納する空間を有し、上方に開口部を有する。上蓋部材２００１は、取っ手２００４を有し、上蓋式収納箱本体２００３の開口部に取り付けた時、この開口部を塞ぐような形状に構成される。
【００３４】
上蓋式収納箱本体２００３に物品を収納する場合には、間仕切り板２００２を用いてもよい。間仕切り板２００２の形状には制限はない。
【００３５】
図２０は、壁面の保温層の積層構造を表した図である。収納箱本体部１０の壁面は、アルミニウムと断熱材とを積層した保温層を含む。この保温層は、例えば、外側にアルミニウム板Ｚと、その内側に発泡ポリスチレンＹ、すなわち発泡スチロールと、その内側にアルミニウム複合板Ｘとを積層する。アルミニウム複合板Ｘは、例えば、アルミニウム板Ｘ１の間に発泡塩化ビニルＸ２を挟んで構成される。
【００３６】
壁面の保温層の積層構造は、上述したものに限らず、最外層にアルミニウム板を用いていれば、その内層は断熱材とアルミニウム板とを適宜選択し、組み合わせて形成することができる。例えば、福田金属箔粉工業社製の「ＬＯＷ−Ｅパネル」（商品名）を用いることができる。
【００３７】
ここで、実験結果について述べる。皿１４をオーブンにて５分間摂氏２７０度で加熱した。これに、焼きたてのピザを載せ、本実施形態の保温出前箱の内部に収納し、摂氏１０度に１５分間静置した。このとき、ピザは摂氏８２度であり、本実施形態の保温出前箱は優れた保温効果があることが分かった。
【００３８】
以上述べたように、本実施形態においては収納箱本体１０の壁面に最外層をアルミニウムとするアルミニウムと断熱材とを積層した保温層を含み、皿１４は搬送品を載置する面の辺縁部分に放射状に設けられた溝を有する。このため、耐久性がよく保温性能が優れている。また、円形の食材を容易に等分することができる。
【００３９】
皿１４を陶磁器にて形成すれば、食材から出る蒸気が一度紙に吸収され、その水分が食材に再び吸収されることを防止することができる。これは、オーブンで温められた陶磁器が赤外線を発し、食材及び食材から出た蒸気を冷やさないためである。
【００４０】
最外層をアルミニウムとすると、洗浄が容易であるという効果もある。また、アルミニウムを使用することで、軽量化を実現でき、持ち運びが容易となるという効果がある。また、収納箱本体１０と、蓋部材１１を別体に形成すれば、皿の出し入れが容易であり、洗浄も容易であるという効果がある。棚板１２は収納箱本体１０から取り外せるため、物品を載せて運ぶトレーとしても使用できるという効果がある。
【産業上の利用可能性】
【００４１】
冷却した物品の保温も可能であるため、食品のみならず医薬品、血液などの搬送にも利用できる。
【図面の簡単な説明】
【００４２】
【図１】保温出前箱の蓋部材を開けた様子を示した斜視図である。
【図２】棚板の斜視図である。
【図３】棚板を取り外した収納箱本体の斜視図である。
【図４】収納箱本体に蓋部材を取り付け、係止具によって蓋部材を収納箱本体に係止した状態を表す斜視図である。
【図５】収納箱本体に蓋部材を取り付け、係止具によって蓋部材を収納箱本体に係止した状態を蓋部材の方向から見た図である。
【図６】収納箱本体から蓋部材を取り外し、開口部の方向から見た図である。
【図７】収納箱本体に蓋部材を取り付け、係止具によって蓋部材を収納箱本体に係止した状態を蓋部材の右方向から見た図である。
【図８】収納箱本体から蓋部材を取り外し、開口部の右方向から見た図である。
【図９】収納箱本体に蓋部材を取り付け、係止具によって蓋部材を収納箱本体に係止した状態を収納箱本体の上方向から見た図である。
【図１０】蓋部材の上面図及び側面図である。
【図１１】蓋部材１１を開口部１５に取り付ける方向から見た図である。
【図１２】皿１４を上方から見た図である。
【図１３】皿１４を横から見た図である。
【図１４】皿１４のＡＡ線における断面図である。
【図１５】収納箱本体１０を積み重ねた状態を示した図である。
【図１６】選択されうる付加的構成要素の例を示した図である。
【図１７】選択されうる付加的構成要素を取り付けた例を示した図である。
【図１８】収納箱本体を、蓋部材を外した状態にて、開口部付近を後方から見た斜視図である。
【図１９】収納箱本体を、上蓋を開放する形状に構成した例である。
【図２０】壁面の保温層の積層構造を表した図である。
【符号の説明】
【００４３】
１０：収納箱本体、
１１：蓋部材、
１２：棚板、
１３：係止具、
１４：皿、
１２０：溝。
【図１】
0003131896.tif 000003
【図２】
0003131896.tif 000004
【図３】
0003131896.tif 000005
【図４】
0003131896.tif 000006
【図５】
0003131896.tif 000007
【図６】
0003131896.tif 000008
【図７】
0003131896.tif 000009
【図８】
0003131896.tif 000010
【図９】
0003131896.tif 000011
【図１０】
0003131896.tif 000012
【図１１】
0003131896.tif 000013
【図１２】
0003131896.tif 000014
【図１３】
0003131896.tif 000015
【図１４】
0003131896.tif 000016
【図１５】
0003131896.tif 000017
【図１６】
0003131896.tif 000018
【図１７】
0003131896.tif 000019
【図１８】
0003131896.tif 000020
【図１９】
0003131896.tif 000021
【図２０】
0003131896.tif 000022